(57)【特許請求の範囲】
【請求項１】
硬貨投入口に投入された硬貨を筐体内部の硬貨収納部に収納し、この硬貨収納部に収納された硬貨を選択的に金種別搬送して前記筐体前面に設けられた硬貨払出口に払い出すようにした硬貨払出装置において、
前記筐体に対して開放・収納自在であって紙幣を収納するドロワを、前記硬貨払出口の左右いずれかに並設し、
前記硬貨投入口を前記硬貨払出口の前記ドロワ側とは反対側に設け、
閉止状態にある前記ドロワに比べて、前記硬貨払出口を装置手前側に突出して配置し、
前記筐体から開放された前記ドロワの停止位置を、当該ドロワの前面の延長線上に前記硬貨払出口の前面が存在する位置とし、
精算の際には、前記硬貨投入口と前記硬貨払出口と開放された前記ドロワとが順に並ぶようにしたことを特徴とする硬貨払出装置。
【請求項２】
硬貨投入口に投入された硬貨を第一の筐体内部の硬貨収納部に収納し、この硬貨収納部に収納された硬貨を選択的に金種別搬送して前記第一の筐体前面に設けられた硬貨払出口に払い出すようにした硬貨払出装置において、
第二の筐体に対して開放・収納自在であって紙幣を収納するドロワを、前記硬貨払出口の左右いずれかに並設し、
前記硬貨投入口を前記硬貨払出口の前記ドロワ側とは反対側に設け、
閉止状態にある前記ドロワに比べて、前記硬貨払出口を装置手前側に突出して配置し、
前記筐体から開放された前記ドロワの停止位置を、当該ドロワの前面の延長線上に前記硬貨払出口の前面が存在する位置とし、
精算の際には、前記硬貨投入口と前記硬貨払出口と開放された前記ドロワとが順に並ぶようにしたことを特徴とする硬貨払出装置。
【請求項３】
前記筐体から開放された前記ドロワと前記硬貨払出口とは、略同一の高さに位置付けられていることを特徴とする請求項１又は２記載の硬貨払出装置。
【請求項４】
前記筐体からの前記ドロワの開放量は、当該ドロワに収納される紙幣の長手方向の長さ以下であって、当該ドロワに収納される紙幣の長手方向の長さの２分の１以上であることを特徴とする請求項１ないし３のいずれか一記載の硬貨払出装置。
【請求項５】
前記ドロワは上下二段に積層されており、商品の売上処理を実行する商品販売データ処理装置から送信された信号に応じて上段または下段のいずれか一方の前記ドロワのみを開放するようにしたことを特徴とする請求項１ないし４のいずれか一記載の硬貨払出装置。
【請求項６】
前記ドロワは上下二段に積層されており、商品の売上処理を実行する商品販売データ処理装置から送信された信号に応じて上段及び下段の前記ドロワをいずれも開放するようにしたことを特徴とする請求項１ないし４のいずれか一記載の硬貨払出装置。
【発明の詳細な説明】
【０００１】
【発明の属する技術分野】
本発明は、ＰＯＳ(Point Of Sales)端末やＥＣＲ(Electronic Cash Register)に接続して使用するのに適した硬貨払出装置であって、特にドロワ装置を備える硬貨払出装置に関する。
【０００２】
【従来の技術】
近年、１円・５円・１０円・５０円・１００円・５００円等の硬貨を金種毎に収納する硬貨収納部を内蔵し、ＰＯＳ端末やＥＣＲからの釣り銭の払い出し指令により、硬貨収納部内の硬貨を釣り銭額だけ硬貨払出口に払い出すようにした硬貨払出装置が普及しつつある。
【０００３】
また、図７に示すように、このような硬貨払出装置１０１には、紙幣入出金装置（図示せず）やドロワ装置１０２等とともにモジュール化されて、ユーザの店舗運用に応じてそれらの内一つと組み合わされて並設され、面一状態にされたそれらの上面にＰＯＳ端末１０３等が載置されて使用されるものがある。
【０００４】
すなわち、キャッシャがＰＯＳ端末１０３を用いて商品売上処理を順次実行するとともに商品売上処理が完了した時点で締め処理を宣言した場合には、ＰＯＳ端末１０３からドロワ装置１０２にドロワ開放信号が出力されるとともに、締め処理の終了後、ＰＯＳ端末１０３から硬貨払出装置１０１に対して締め処理により算出された釣り銭データが出力される。すると、図８に示すように、ドロワ開放信号を受信したドロワ装置１０２においては、ドロワ１０４がドロワケース１０５から外方に突出することになる。また、釣り銭データを受信した硬貨払出装置１０１は、釣り銭データに従った釣り銭分の硬貨を硬貨払出口１０６に払い出すことになる。つまり、ドロワ１０４の紙幣収納部１０７が露出して紙幣の出し入れが自在になるとともに、硬貨払出口１０６から釣り銭分の硬貨を取り出すことが可能な状態になる。
【０００５】
【発明が解決しようとする課題】
しかしながら、図７に示したように硬貨払出装置１０１とドロワ装置１０２とを組み合わせて並設し、それらの上面にＰＯＳ端末１０３を載置して使用する場合、以下に示すような問題が発生する。
【０００６】
精算時において、図８に示すように、キャッシャは、客から預かった硬貨を硬貨投入口１０８に投入する動作と、紙幣収納部１０７の紙幣を手に取ってからその紙幣の上に硬貨払出口１０６の硬貨を載せ、紙幣と硬貨とを一緒にして客に手渡すような動作とを行う。このような動作を行う場合に、硬貨投入口１０８と、この硬貨投入口１０８の下方に位置する硬貨払出口１０６と、この硬貨払出口１０６に対して突出してしまっているドロワ装置１０２から開放されたドロワ１０４の紙幣収納部１０７とが散在していると、各部間の距離が遠くなってしまい、キャッシャの手の動きに無駄が生じてしまっていた。このため、硬貨の投入作業や貨幣の取り出し作業を円滑に行うことができず、顧客との貨幣の授受に時間が掛かり、その結果として、精算場所に顧客の渋滞を引き起こす要因にもなっている。
【０００７】
本発明の目的は、顧客との貨幣の授受に必要とする時間を短縮するとともにその作業を円滑化することができる硬貨払出装置を提供することである。
【０００８】
【課題を解決するための手段】
請求項１記載の発明は、硬貨投入口に投入された硬貨を筐体内部の硬貨収納部に収納し、この硬貨収納部に収納された硬貨を選択的に金種別搬送して前記筐体前面に設けられた硬貨払出口に払い出すようにした硬貨払出装置において、前記筐体に対して開放・収納自在であって紙幣を収納するドロワを、前記硬貨払出口の左右いずれかに並設し、前記筐体から開放された前記ドロワの停止位置を、当該ドロワの前面の延長線上に前記硬貨払出口が存在する位置とし、前記硬貨投入口を前記硬貨払出口の前記ドロワ側とは反対側に設け、閉止状態にある前記ドロワに比べて、前記硬貨払出口を装置手前側に突出して配置し、精算の際には、前記硬貨投入口と前記硬貨払出口と開放された前記ドロワとが順に並ぶようにした。
【０００９】
したがって、精算の際には、紙幣を収納するドロワと硬貨が払い出される硬貨払出口とが従来の装置に比べて近接し、かつ、硬貨投入口と硬貨払出口とドロワとが順に並ぶようになる。これにより、キャッシャは、客から預かった硬貨を硬貨投入口に投入する動作と、ドロワから紙幣を手に取り、その紙幣の上に硬貨払出口から取った硬貨を載せ、紙幣と硬貨とを一緒にして客に手渡すような動作とを略同一場所で無駄なく行えるようになるので、顧客との貨幣の授受に必要とする時間を短縮するとともにその作業を円滑化することが可能になる。
【００１０】
請求項２記載の発明は、硬貨投入口に投入された硬貨を第一の筐体内部の硬貨収納部に収納し、この硬貨収納部に収納された硬貨を選択的に金種別搬送して前記第一の筐体前面に設けられた硬貨払出口に払い出すようにした硬貨払出装置において、第二の筐体に対して開放・収納自在であって紙幣を収納するドロワを、前記硬貨払出口の左右いずれかに並設し、前記硬貨投入口を前記硬貨払出口の前記ドロワ側とは反対側に設け、閉止状態にある前記ドロワに比べて、前記硬貨払出口を装置手前側に突出して配置し、精算の際には、前記硬貨投入口と前記硬貨払出口と開放された前記ドロワとが順に並ぶようにした。
【００１１】
したがって、精算の際には、紙幣を収納するドロワと硬貨が払い出される硬貨払出口とが従来の装置に比べて近接し、かつ、硬貨投入口と硬貨払出口とドロワとが順に並ぶようになる。これにより、キャッシャは、客から預かった硬貨を硬貨投入口に投入する動作と、ドロワから紙幣を手に取り、その紙幣の上に硬貨払出口から取った硬貨を載せ、紙幣と硬貨とを一緒にして客に手渡すような動作とを略同一場所で無駄なく行えるようになるので、顧客との貨幣の授受に必要とする時間を短縮するとともにその作業を円滑化することが可能になる。
【００１２】
請求項１、２記載の発明では、前記筐体から開放された前記ドロワの停止位置を、当該ドロワの前面の延長線上に前記硬貨払出口の前面が存在する位置とした。
【００１３】
したがって、精算の際に筐体からドロワが開放されるが、このドロワの停止位置が当該ドロワの前面の延長線上に硬貨払出口が存在する位置であることにより、キャッシャは、ドロワから紙幣を手に取り、その紙幣の上に硬貨払出口から取った硬貨を載せ、紙幣と硬貨とを一緒にして客に手渡すような動作を略同一場所で無駄なく行えるようになる。
【００１４】
請求項３記載の発明は、請求項１又は２記載の硬貨払出装置において、前記筐体から開放された前記ドロワと前記硬貨払出口とは、略同一の高さに位置付けられている。
【００１５】
したがって、ドロワから紙幣を手に取り、その紙幣の上に硬貨払出口から取った硬貨を載せ、紙幣と硬貨とを一緒にして客に手渡すような動作をさらに円滑に行うことが可能になるので、きわめて能率的である。
【００１８】
請求項４記載の発明は、請求項１ないし３のいずれか一記載の硬貨払出装置において、前記筐体からの前記ドロワの開放量は、当該ドロワに収納される紙幣の長手方向の長さ以下であって、当該ドロワに収納される紙幣の長手方向の長さの２分の１以上である。
【００１９】
したがって、ドロワの開放量が、収納される紙幣の長手方向の長さ以下であって、収納される紙幣の長手方向の長さの２分の１以上であれば、ドロワから紙幣を取り出すことは容易である。
【００２０】
請求項５記載の発明は、請求項１ないし４のいずれか一記載の硬貨払出装置において、前記ドロワは上下二段に積層されており、商品の売上処理を実行する商品販売データ処理装置から送信された信号に応じて上段または下段のいずれか一方の前記ドロワのみを開放するようにした。
【００２１】
したがって、一方のドロワのみ開放することが可能になるので、例えば、五千円札及び千円札を収納する下側のドロワのみを開放するようにした場合には、一万円札及び二千円札を収納する上側のドロワは、手動で開閉するようにすれば良く、商品の取引に伴う紙幣の授受が容易になる。
【００２２】
請求項６記載の発明は、請求項１ないし４のいずれか一記載の硬貨払出装置において、前記ドロワは上下二段に積層されており、商品の売上処理を実行する商品販売データ処理装置から送信された信号に応じて上段及び下段の前記ドロワをいずれも開放するようにした。
【００２３】
したがって、両方のドロワを開放することが可能になるので、例えば、上部に配置されるドロワには五千円札及び千円札を収納し、下に配置されるドロワには一万円札及び二千円札を収納するようにすれば、商品の取引に伴う紙幣の授受が容易になる。
【００２４】
【発明の実施の形態】
本発明の第一の実施の形態を図１ないし図４に基づいて説明する。本実施の形態の硬貨払出装置は、ＰＯＳ端末（図示せず）に接続して使用されるドロワ機能付き硬貨払出装置に適用されている。
【００２５】
ここで、図１はドロワ機能付き硬貨払出装置Ｘの外観を示す斜視図である。ドロワ機能付き硬貨払出装置Ｘは、大きく分けると硬貨払出部Ａとドロワ部Ｂとで構成されており、これらの硬貨払出部Ａとドロワ部Ｂとは並べて配設されている。なお、硬貨払出部Ａの筐体（第一の筐体）とドロワ部Ｂの筐体（第二の筐体）とは、一体に形成されているものとする。
【００２６】
まず、硬貨払出部Ａについて説明する。硬貨払出部Ａの筐体である装置ケース１の右側手前には、硬貨を一括して投入する上方に開口した硬貨投入口２が設けられている。この硬貨投入口２には、投入された硬貨を奥側（装置ケース１の内部）に向けて搬送する投入口ベルト２ａが設けられている。硬貨投入口２に投入された硬貨は、この投入口ベルト２ａを含む硬貨搬送機構（図示せず）を介し、装置ケース１の内部に設けられている硬貨収納部（図示せず）へと搬送される。このような硬貨収納部は、１円・５円・１０円・５０円・１００円・５００円等の硬貨を金種毎に収納するものである。
【００２７】
一方、装置ケース１の左側手前には、上面が開口した筐体状の硬貨払出口３が配置されている。この硬貨払出口３は、硬貨収納部から硬貨払出機構（図示せず）を介して払い出した釣り銭分の硬貨を落下させる硬貨払出位置の下方（本実施の形態においては、硬貨払出部Ａの高さ方向の略中央付近）に設けられているとともに、左側（つまり、ドロワ部Ｂ側）に偏位させて設けられている。また、この硬貨払出口３の上方には、表示器４及び各種の操作キー５が設けられている。なお、硬貨払出機構は、ＰＯＳ端末のＣＰＵ（Central Processing Unit）等のデータ制御手段（図示せず）に接続されており、このデータ制御手段の所定の出力データ（釣り銭データ）に従って釣り銭分の硬貨を払い出すようになっている。
【００２８】
ところで、本実施の形態のドロワ機能付き硬貨払出装置Ｘの硬貨払出部Ａは、図１に示すように、ドロワ６が閉止状態にあるドロワ部Ｂに比べて、硬貨投入口２や硬貨払出口３等の分だけ突出して形成されている。このような突出部分１ａは約１３０ｍｍ程度の長さに形成されており、千円札の長さ（約１５０ｍｍ）よりも若干短い程度である。
【００２９】
次に、ドロワ部Ｂについて説明する。ドロワ部Ｂは、紙幣を収納するための上面が開口した扁平なボックス状に形成されたドロワ６（図２参照）を前面開口のドロワ部Ｂの筐体である装置ケース１に対して開放・収納自在に収納したものである。なお、本実施の形態のドロワ部Ｂの装置ケース１には二つの矩形開口８が形成されており、これらの二つの矩形開口８に対して二つのドロワ６が積層されて備えられている。例えば、これらのドロワ６は紙幣を収納するために用いられ、上部に配置されるドロワ６には五千円札及び千円札が収納され、下に配置されるドロワ６には一万円札及び二千円札が収納される。
【００３０】
より詳細には、図２に示すように、装置ケース１の内側面とドロワ６の外側面とには、スライド自在に係合するガイドレール９，１０とガイドローラ１１，１２とが形成されており、これらのガイドレール９，１０とガイドローラ１１，１２との作用により、装置ケース１の内部に矩形開口８からドロワ６をスライド自在に配置している。さらに、ドロワ部Ｂのドロワ６には、マネーケース１３が収納・取り出し自在に備えられている。このマネーケース１３には、複数に区分けされて紙幣を収納する紙幣収納部１４が設けられている。
【００３１】
加えて、ドロワ部Ｂには、装置ケース１の内部でドロワ６を前方に付勢するコイルスプリング１５や、このコイルスプリング１５で付勢されたドロワ６を装置ケース１の内部に閉止状態に保持するドロワロック１６等が、装置ケース１の内部後方に設けられている。このドロワ部Ｂのドロワロック１６は、ＰＯＳ端末のＣＰＵ等のデータ制御手段に接続されており、このデータ制御手段の所定の出力データに従って装置ケース１に閉止したドロワ６を開放するようになっている。
【００３２】
ここで、図３は図１の状態からドロワ部Ｂのドロワ６が開放された状態を示す外観斜視図、図４はドロワ部Ｂのドロワ６が開放された状態を部分的に示す平面図である。図３及び図４に示すように、ドロワ部Ｂの装置ケース１から開放されたドロワ６の停止位置は、当該ドロワ６の前面の延長線上に硬貨払出部Ａの硬貨払出口３が存在する位置である。前述したように、硬貨払出部Ａの突出部分１ａは約１３０ｍｍ程度の長さに形成されており、千円札の長さ（約１５０ｍｍ）よりも若干短い程度であることから、ドロワ６がこの位置で停止していてもドロワ６内の紙幣収納部１４はある程度露出した状態であるので、この紙幣収納部１４から紙幣を取り出すことは容易である。なお、本実施の形態においては、硬貨払出部Ａの突出部分１ａを約１３０ｍｍ程度の長さに形成したが、ドロワ６の開放量が、当該ドロワ６の紙幣収納部１４に収納される紙幣の長手方向の長さ以下であって当該ドロワ６の紙幣収納部１４に収納される紙幣の長手方向の長さの２分の１以上になるような範囲であれば、これに限るものではない。
【００３３】
つまり、本実施の形態のドロワ機能付き硬貨払出装置Ｘにおいては、精算の際、硬貨投入口２、硬貨払出口３、ドロワ６が右側から順に並んでいることになる。
【００３４】
このような構成において、キャッシャがＰＯＳ端末を用いて商品売上処理を順次実行するとともに商品売上処理が完了した時点で締め処理を宣言した場合には、ＰＯＳ端末のＣＰＵ等のデータ制御手段は、締め処理を実行するとともに、ドロワ部Ｂにドロワ開放信号を出力する。加えて、ＰＯＳ端末のＣＰＵ等のデータ制御手段は、締め処理の終了後、締め処理により算出された釣り銭データを硬貨払出部Ａに出力する。
【００３５】
すると、ドロワ開放信号を受信したドロワ部Ｂのドロワロック１６は、コイルスプリング１５の弾発力に抗したドロワ６の閉止を解除するので、このドロワ６はコイルスプリング１５の弾発力で装置ケース１から外方に突出することになる。また、釣り銭データを受信した硬貨払出部Ａは、硬貨払出機構により釣り銭データに従った釣り銭分の硬貨を硬貨払出口３に払い出すことになる。
【００３６】
このようにすることで、ドロワ６の紙幣収納部１４が露出して紙幣の出し入れが自在になるとともに、硬貨払出口３から釣り銭分の硬貨を取り出すことが可能な状態になる。
【００３７】
ここに、精算の際に装置ケース１からドロワ６が開放されるが、このドロワ６の停止位置が、当該ドロワ６の前面の延長線上に硬貨払出部Ａの突出部分１ａの硬貨払出口３が存在する位置であるとともに、硬貨払出口３がドロワ６側に偏位させて設けられていることにより、精算の際には、紙幣を収納するドロワ６の紙幣収納部１４と硬貨が払い出される硬貨払出口３とが隣接し、かつ、硬貨投入口２と硬貨払出口３とドロワ６の紙幣収納部１４とが順に並ぶようになる。これにより、キャッシャは、客から預かった硬貨を硬貨投入口２に投入する動作と、ドロワ６の紙幣収納部１４から紙幣を手に取り、その紙幣の上に硬貨払出口３から取った硬貨を載せ、紙幣と硬貨とを一緒にして客に手渡すような動作とを略同一場所で無駄なく行えるようになるので、顧客との貨幣の授受に必要とする時間を短縮するとともにその作業を円滑化することが可能になる。その後、受取った紙幣がドロワ６の紙幣収納部１４に収納される。
【００３８】
なお、本実施の形態のドロワ部Ｂにおいては、ＰＯＳ端末のＣＰＵ等のデータ制御手段から出力信号に基づき、積層された二つのドロワ６をそれぞれ開放するようにしたがこれに限るものではなく、上下いずれか一方のドロワ６のみを開放するようにしても良い。この場合には、開放したいドロワ６側にのみ、コイルスプリング１５やドロワロック１６を備えれば良い。例えば、五千円札及び千円札を収納する下側のドロワ６のみを開放するようにした場合には、一万円札及び二千円札を収納する上側のドロワ６は、手動で開閉するようにすれば良い。
【００３９】
また、本実施の形態においては、硬貨払出部Ａの筐体とドロワ部Ｂの筐体とをそれぞれ一体化して形成したが、これに限るものではなく、各筐体（第一の筐体、第二の筐体）をそれぞれ別体で形成するようにしても良い。
【００４０】
本発明の第二の実施の形態を図５および図６に基づいて説明する。なお、前述した第一の実施の形態と同一部分は同一符号で示し説明も省略する。
【００４１】
ここで、図５はドロワ機能付き硬貨払出装置Ｙの外観を示す斜視図である。図５に示すように、第一の実施の形態のドロワ機能付き硬貨払出装置Ｘの硬貨払出口３は硬貨払出部Ａの高さ方向の略中央付近に設けられていたが、本実施の形態のドロワ機能付き硬貨払出装置Ｙの硬貨払出口２０は、硬貨収納部から硬貨払出機構を介して払い出した釣り銭分の硬貨を落下させる硬貨払出位置の下方であって、硬貨払出部Ａの高さ方向の略下端付近に設けられている。
【００４２】
また、ドロワ機能付き硬貨払出装置Ｙのドロワ部Ｂにおいては、五千円札及び千円札を収納する下側のドロワ６側にのみ、コイルスプリング１５やドロワロック１６が備えられている。これにより、ＰＯＳ端末のＣＰＵ等のデータ制御手段から出力信号に基づき、下側のドロワ６のみが開放される。したがって、一万円札及び二千円札を収納する上側のドロワ６は、手動で開閉することになる。
【００４３】
ここで、図６は図５の状態からドロワ部Ｂのドロワ６が開放された状態を示す外観斜視図である。図６に示すように、ドロワ部Ｂの装置ケース１から開放されたドロワ６の停止位置は、当該ドロワ６の前面の延長線上に硬貨払出部Ａの突出部分１ａの硬貨払出口２０が存在する位置である。前述したように、硬貨払出部Ａの突出部分１ａは約１３０ｍｍ程度の長さに形成されており、千円札の長さ（約１５０ｍｍ）よりも若干短い程度であることから、ドロワ６がこの位置で停止していてもドロワ６内の紙幣収納部１４はある程度露出した状態であるので、この紙幣収納部１４から紙幣を取り出すことは容易である。また、ドロワ部Ｂの装置ケース１から開放されたドロワ６と、硬貨払出部Ａの硬貨払出口２０とは、略同一の高さに位置付けられている。
【００４４】
つまり、本実施の形態のドロワ機能付き硬貨払出装置Ｘにおいては、精算の際、硬貨投入口２、硬貨払出口２０、ドロワ６が右側から順に並んでいるとともに、ドロワ部Ｂのドロワ６と硬貨払出部Ａの硬貨払出口２０とは、略同一の高さに位置付けられていることになる。
【００４５】
このような構成において、キャッシャがＰＯＳ端末を用いて商品売上処理を順次実行するとともに商品売上処理が完了した時点で締め処理を宣言した場合には、ＰＯＳ端末のＣＰＵ等のデータ制御手段は、締め処理を実行するとともに、ドロワ部Ｂにドロワ開放信号を出力する。加えて、ＰＯＳ端末のＣＰＵ等のデータ制御手段は、締め処理の終了後、締め処理により算出された釣り銭データを硬貨払出部Ａに出力する。
【００４６】
すると、ドロワ開放信号を受信したドロワ部Ｂのドロワロック１６は、コイルスプリング１５の弾発力に抗したドロワ６の閉止を解除するので、このドロワ６はコイルスプリング１５の弾発力で装置ケース１から外方に突出することになる。また、釣り銭データを受信した硬貨払出部Ａは、硬貨払出機構により釣り銭データに従った釣り銭分の硬貨を硬貨払出口２０に払い出すことになる。
【００４７】
このようにすることで、ドロワ６の紙幣収納部１４が露出して紙幣の出し入れが自在になるとともに、硬貨払出口２０から釣り銭分の硬貨を取り出すことが可能な状態になる。
【００４８】
ここに、精算の際に装置ケース１からドロワ６が開放されるが、このドロワ６の停止位置が当該ドロワ６の前面が硬貨払出部Ａの突出部分１ａの硬貨払出口３の前面部分と略同一面を形成する位置であるとともに、硬貨払出口２０がドロワ６側に偏位させて設けられていることにより、精算の際には、紙幣を収納するドロワ６の紙幣収納部１４と硬貨が払い出される硬貨払出口２０とが隣接して略同一の高さに位置付けられ、かつ、硬貨投入口２と硬貨払出口２０とドロワ６の紙幣収納部１４とが順に並ぶようになる。これにより、キャッシャは、客から預かった硬貨を硬貨投入口２に投入する動作と、ドロワ６の紙幣収納部１４から紙幣を手に取り、その紙幣の上に硬貨払出口２０から取った硬貨を載せ、紙幣と硬貨とを一緒にして客に手渡すような動作とを略同一場所で無駄なく行えるようになるので、顧客との貨幣の授受に必要とする時間を短縮するとともにその作業を円滑化することが可能になる。その後、受取った紙幣がドロワ６の紙幣収納部１４に収納される。
【００４９】
なお、各実施の形態においては、精算の際に、硬貨投入口２と硬貨払出口３，２０とドロワ６の紙幣収納部１４とを右側から順に並べるようにしたが、左ききのオペレータ（キャッシャ）を考慮した場合には、硬貨投入口２と硬貨払出口３，２０とドロワ６の紙幣収納部１４とを左側から順に並べるようにしても良い。
【００５０】
【発明の効果】
請求項１記載の発明によれば、硬貨投入口に投入された硬貨を筐体内部の硬貨収納部に収納し、この硬貨収納部に収納された硬貨を選択的に金種別搬送して前記筐体前面に設けられた硬貨払出口に払い出すようにした硬貨払出装置において、前記筐体に対して開放・収納自在であって紙幣を収納するドロワを、前記硬貨払出口の左右いずれかに並設し、前記筐体から開放された前記ドロワの停止位置を、当該ドロワの前面の延長線上に前記硬貨払出口が存在する位置とし、前記硬貨投入口を前記硬貨払出口の前記ドロワ側とは反対側に設け、閉止状態にある前記ドロワに比べて、前記硬貨払出口を装置手前側に突出して配置し、精算の際には、前記硬貨投入口と前記硬貨払出口と開放された前記ドロワとが順に並ぶようにしたことにより、精算の際には、紙幣を収納するドロワと硬貨が払い出される硬貨払出口とを従来の装置に比べて近接させ、かつ、硬貨投入口と硬貨払出口とドロワとを順に並べることができるので、キャッシャは、客から預かった硬貨を硬貨投入口に投入する動作と、ドロワから紙幣を手に取り、その紙幣の上に硬貨払出口から取った硬貨を載せ、紙幣と硬貨とを一緒にして客に手渡すような動作とを略同一場所で無駄なく行えるようになり、顧客との貨幣の授受に必要とする時間を短縮するとともにその作業を円滑化することができる。
【００５１】
請求項２記載の発明は、硬貨投入口に投入された硬貨を第一の筐体内部の硬貨収納部に収納し、この硬貨収納部に収納された硬貨を選択的に金種別搬送して前記第一の筐体前面に設けられた硬貨払出口に払い出すようにした硬貨払出装置において、第二の筐体に対して開放・収納自在であって紙幣を収納するドロワを、前記硬貨払出口の左右いずれかに並設し、前記硬貨投入口を前記硬貨払出口の前記ドロワ側とは反対側に設け、閉止状態にある前記ドロワに比べて、前記硬貨払出口を装置手前側に突出して配置し、精算の際には、前記硬貨投入口と前記硬貨払出口と開放された前記ドロワとが順に並ぶようにしたことにより、精算の際には、紙幣を収納するドロワと硬貨が払い出される硬貨払出口とを従来の装置に比べて近接させ、かつ、硬貨投入口と硬貨払出口とドロワとを順に並べることができるので、キャッシャは、客から預かった硬貨を硬貨投入口に投入する動作と、ドロワから紙幣を手に取り、その紙幣の上に硬貨払出口から取った硬貨を載せ、紙幣と硬貨とを一緒にして客に手渡すような動作とを略同一場所で無駄なく行えるようになり、顧客との貨幣の授受に必要とする時間を短縮するとともにその作業を円滑化することができる。
【００５２】
請求項１、２記載の発明によれば、前記筐体から開放された前記ドロワの停止位置を、当該ドロワの前面の延長線上に前記硬貨払出口の前面が存在する位置としたことにより、キャッシャは、ドロワから紙幣を手に取り、その紙幣の上に硬貨払出口から取った硬貨を載せ、紙幣と硬貨とを一緒にして客に手渡すような動作を略同一場所で無駄なく行うことができる。
【００５３】
請求項３記載の発明によれば、請求項１又は２記載の硬貨払出装置において、前記筐体から開放された前記ドロワと前記硬貨払出口とは、略同一の高さに位置付けられていることにより、ドロワから紙幣を手に取り、その紙幣の上に硬貨払出口から取った硬貨を載せ、紙幣と硬貨とを一緒にして客に手渡すような動作をさらに円滑に行うことができるので、きわめて効率的である。
【００５５】
請求項４記載の発明によれば、請求項１ないし３のいずれか一記載の硬貨払出装置において、前記筐体からの前記ドロワの開放量は、当該ドロワに収納される紙幣の長手方向の長さ以下であって、当該ドロワに収納される紙幣の長手方向の長さの２分の１以上であることにより、ドロワから紙幣を容易に取り出すことができる。
【００５６】
請求項５記載の発明によれば、請求項１ないし４のいずれか一記載の硬貨払出装置において、前記ドロワは上下二段に積層されており、商品の売上処理を実行する商品販売データ処理装置から送信された信号に応じて上段または下段のいずれか一方の前記ドロワのみを開放するようにしたことにより、一方のドロワのみ開放することができるようになるので、例えば、五千円札及び千円札を収納する下側のドロワのみを開放するようにした場合には、一万円札及び二千円札を収納する上側のドロワは、手動で開閉するようにすれば良く、商品の取引に伴う紙幣の授受を容易に行うことができる。
【００５７】
請求項６記載の発明によれば、請求項１ないし４のいずれか一記載の硬貨払出装置において、前記ドロワは上下二段に積層されており、商品の売上処理を実行する商品販売データ処理装置から送信された信号に応じて上段及び下段の前記ドロワをいずれも開放するようにしたことにより、両方のドロワを開放することができるようになるので、例えば、上部に配置されるドロワには五千円札及び千円札を収納し、下に配置されるドロワには一万円札及び二千円札を収納するようにすれば、商品の取引に伴う紙幣の授受を容易に行うことができる。
【図面の簡単な説明】
【図１】本発明の第一の実施の形態のドロワ機能付き硬貨払出装置の外観を示す斜視図である。
【図２】ドロワ装置の内部構造を例示する分解斜視図である。
【図３】図１の状態からドロワ装置のドロワが開放された状態を示す外観斜視図である。
【図４】ドロワ装置のドロワが開放された状態を部分的に示す平面図である。
【図５】本発明の第二の実施の形態のドロワ機能付き硬貨払出装置の外観を示す斜視図である。
【図６】図５の状態からドロワ装置のドロワが開放された状態を示す外観斜視図である。
【図７】従来の硬貨払出装置とドロワ装置とを組み合わせて並設し、ＰＯＳ端末を載置した状態を示す外観斜視図である。
【図８】図７の状態からドロワ装置のドロワが開放された状態を示す外観斜視図である。
【符号の説明】
１      筐体
２      硬貨投入口
３，２０    硬貨払出口
６      ドロワ
Ｘ，Ｙ      硬貨払出装置
【図１】
0003679743.tif 000002
【図２】
0003679743.tif 000003
【図３】
0003679743.tif 000004
【図４】
0003679743.tif 000005
【図５】
0003679743.tif 000006
【図６】
0003679743.tif 000007
【図７】
0003679743.tif 000008
【図８】
0003679743.tif 000009